(57)【要約】【課題】杖先接地部を持ち上げ又ときには引きずるようする従来の杖操作と異なり、杖先に設ける接地車輪に、先行又は追従回転を可能とする回転方向制御機能装置を備える歩行移動補助杖を提供する。【解決手段】杖先の接地車輪に一方向にだけ回転を可能とし逆方向回転を防止するために、該接地車輪を回動自在とするシャフト１に固定され爪部２’を出入自在とする爪部保持部２と、この爪部２’と噛み合う鋸歯状の爪歯部６’を内周に構成するリングギヤ６と、からなるラチエット機構を構成する。【選択図】図１
2011147574.tif 000002
【特許請求の範囲】
【請求項１】
杖先の接地車輪に、一方向にだけ回転を可能とし逆方向回転を防止する回転方向制御機能装置を付加したことを特徴とする歩行移動補助杖。
【請求項２】
回転方向制御機能装置が、杖先の接地車輪を回転自在構造とするシャフトに固定装着される爪部保持部に可動自在で設けられる爪部と、この爪部と噛み合う爪歯部を形成し回転自在構造の杖先接地車輪に一体構成される爪歯部付きのリングギヤと、からなるラチエット機構を構成したことを特徴とする請求項１記載の歩行移動補助杖。
【請求項３】
回転方向制御機能装置が、杖先の接地車輪を回転自在構造とするシャフトを介して該接地車輪に設定するインナ・レースとアウタ・レースとの間に設けるワンウエイ・クラッチ機構を構成してなることを特徴とする請求項１記載の歩行移動補助杖。
【発明の詳細な説明】
【技術分野】
【０００１】
本発明は、杖先の接地車輪に一方向回転を可能とし逆方向回転を防止する回転方向制御機能装置が付加された歩行移動補助杖に関するものである。
【背景技術】
【０００２】
一般に杖は、杖先のゴムカバーなどの接地部を接地させることで歩行移動を補助している。したがって、杖は歩行弱者にとっては屋内外を問わず日常生活に欠かせない生活補助具として多く実用に供されている。
【０００３】
しかし、杖先の接地部が一点支持又は複数点支持仕様に関わらず、歩行移動の都度杖先接地部を若干持ち上げるなどの動作を必要とし筋力など体力の衰えた利用者にとっては困難と苦痛を伴い、ともすれば杖先接地部を引きずるというような安全に関わる問題点があった。
【特許文献１】特許第３８２２２９７号
【非特許文献２】歩行車（歩行器）シルバーカー
【発明の開示】
【発明が解決しようとする課題】
【０００４】
解決しようとする問題点は、杖の使用時に、歩行に合わせて杖先の接地部を持ち上げることなく又は引きずるようなことなく、利用者が抵抗感なく前へ送るように又は追従させるように位置移動させながらかつ定位置を確保して支え、歩行移動補助を可能とする機能がない点である。
【課題を解決するための手段】
【０００５】
本発明は、杖先の接地部に回動自在の車輪を取り付け、この接地車輪に一方向にだけの回転を可能とし、逆方向回転を防止する回転方向制御機能装置を付加する。
その一手段として、杖先の接地車輪内部に、この接地車輪を回転自在とするシャフトを中心軸として固定装着される爪部保持部に構成するシリンダー部を介して出入自在として設けられる爪部と、この爪部と噛み合う鋸歯状の爪歯部を内周に構成し杖先接地車輪内に一体構成される爪歯部付きのリングギヤと、からなるラチエット機能を構成したことを最も主要な特徴とする。
これにより杖先接地車輪の回転に、噛み合う爪部と爪歯部とで間歇的な一方向回転運動を伝達することができるという目的を実現した。
【発明の効果】
【０００６】
本発明の歩行移動補助杖は、杖先に設ける接地車輪に一方向にだけ回転を可能とし逆方向回転を防止するという回転方向制御機能装置を付加したことは、杖先ゴム接地部を用いる従来仕様の利用感覚と異なり、歩行弱者における利用諸条件で杖先の接地車輪においての先送り又は追従などの操作を容易に可能とし、かつ、その歩行移動補助を安全確実なものとしている。
【０００７】
請求項２の回転方向制御機能装置に杖先の接地車輪に設定される爪部と噛み合う爪歯部を構成するリングギヤとでラチエット機構を構成したことは、間歇的な一方向回転運動を伝達し逆方向回転を防止可能とする安全にして容易に確実な操作性を得ることが出来るという機能性に大いに優れている。
【０００８】
請求項３の回転方向制御機能装置に杖先の接地車輪内に設定されるインナ・レースとアウタ・レースとの間に設けるワンウエイ・クラッチ機構を構成したことは、該作動をスムーズ、かつ、安全にして容易に確実な操作性を得ることが出来るという機能性に大いに優れている。
【発明を実施するための最良の形態】
【０００９】
杖先の回転自在構造の接地車輪内部に、シャフトに固定される爪部保持部に出入自在に装置される爪部と噛み合う爪歯部を内周に構成するリングギヤを接地車輪に一体構成し、該車輪に間歇的な一方向回転運動を伝達し逆方向回転を防止するという手段を提供する目的を最少の部材もって実現した。
【実施例１】
【００１０】
杖先の接地車輪に設ける回転方向制御機能装置にラチエット機構を採用した本発明の一実施例で、図１は回転自在の車輪内に構成される車輪と一体のリングギヤ６に構成される爪歯部６’と噛み合う爪部２’を出入自在で設けるシャフト１に固定される爪部保持部２などからなるラチエット機構を示す説明図で、図２は図１の縦断面を示す説明図である。
【００１１】
なお、本発明の主体は、杖先の接地車輪に装置される回転方向制御機能装置系の実装方法にあるので、該車輪を杖先に取り付ける杖の形状構成などの説明は省略する。
以下図面に基づいて詳細に説明する。
【００１２】
杖が取り付けられるシャフト１を中心軸に回転自在構造の杖先接地車輪内でシャフト１を中心軸にして固定装着される爪部保持部２は若干厚手の円板状板材からなり、一本のシリンダー部４を設ける部所を構成しこのシリンダー部４内から若干高さを出入自在とする爪部２’を保持している。
【００１３】
この爪部保持部２を中間にして挟み、回転自在の左右ハブ７を回転軸部にして一体構成しもう一方に接地用のゴムタイヤ部８を取り付けるホイール７’の内部に、爪部保持部２に出入自在で備えられる爪部２’と噛み合う鋸歯状の爪歯部６’を内周に形成する爪歯部６’付きのリングギヤ６を一体構し取り付ける。
【００１４】
爪部２’は、鍔部３付きロッド部３’を有し、鍔部３下部とシリンダー部４の底部との間に設けるコイル・スプリング５を介してシリンダー部４内を逸脱することなく上下動自在とし、爪歯部６’と噛み合う若干長さの爪部部分のみを該シリンダー部４より出入自在とされている。
【００１５】
このようになっていると、コイル・スプリング５を介して押し上げられている爪部２’はリングギヤ６に構成される爪歯部６’に常時噛み合っているが、ゴムタイヤ部８を介して回転するホイール７’の右方向への回転に伴うリングギヤ６の爪歯部６’の回動で、この鋸歯状の爪歯部６’が一方に形成する傾斜面と組み合う傾斜面を有する爪部２’は滑るようにして押し下げられることで爪歯部６’との噛み合いが解かれるが、該傾斜面から外れることで上昇し再び爪歯部６’と噛み合うことで、ゴムタイヤ部８付きのホイール７’の左方向への逆回転を防止し間歇的な一方向回転運動を伝達するラチエット機能を確実としている。
【００１６】
爪部２’と噛み合う爪歯部６’の歯数を可能な限り多くすることで、ホイール７’の回転諸条件において小刻みのラチエット効果が期待できるものである。
なお、杖先の接地車輪を複数形態のものとすることで、ゴムタイヤ部８の有する特性とともに更に安定した歩行移動補助効果も期待できるものである
【産業上の利用可能性】
【００１７】
杖先に接地車輪を用いる歩行移動補助具における期待できる有効な手法の一つとし、リハビリ医療のみならず社会生活及び自立支援など多方面の用途に応用利用が期待できるものである。
【図面の簡単な説明】
【００１８】
【図１】杖先の接地車輪に設ける回転方向制御機能装置にラチエット機構を採用した本発明歩行移動補助杖の一実施例で、接地車輪内に装置する爪歯部６’と噛み合う爪部２’付き爪部保持部２などにおける主要部の組み合わせ構成を示す説明図である。（実施例１）
【図２】図１の縦断面図である。（実施例１）
【符号の説明】
【００１９】
１    シャフト
２    爪部保持部
２’  爪部
３    鍔部
３’  ロッド部
４    シリンダー部
５    コイル・スプリング
６    リングギヤ
６’  爪歯部
７    ハブ
７’  ホイール
８    ゴムタイヤ部
【図１】
2011147574.tif 000003
【図２】
2011147574.tif 000004
【手続補正書】
【提出日】平成23年2月2日(2011.2.2)
【手続補正２】
【補正対象書類名】明細書
【補正対象項目名】全文
【補正方法】変更
【補正の内容】
【発明の詳細な説明】
【技術分野】
【０００１】
本発明は、杖先の接地車輪に一方向回転を可能とし逆方向回転を防止する回転方向制御機能装置が付加された回転制御機能車輪付の歩行移動補助杖に関するものである。
【背景技術】
【０００２】
一般に杖は、杖先のゴムカバーなどの接地部を接地させることで歩行移動を補助している。したがって、杖は歩行弱者にとっては屋内外を問わず日常生活に欠かせない生活補助具として多く実用に供されている。
【０００３】
しかし、杖先の接地部が一点支持又は複数点支持仕様に関わらず、歩行移動の都度杖先接地部を若干持ち上げるなどの動作を必要とし筋力など体力の衰えた利用者にとっては困難と苦痛を伴い、ともすれば杖先接地部を引きずるというような安全に関わる問題点があった。
【特許文献１】特許第３８２２２９７号
【非特許文献２】歩行車（歩行器）シルバーカー
【発明の開示】
【発明が解決しようとする課題】
【０００４】
解決しようとする問題点は、杖の使用時に、歩行に合わせて杖先の接地部を持ち上げることなく又は引きずるようなことなく、利用者が抵抗感なく前へ送るように又は追従させるように位置移動させながらかつ定位置を確保して支え、歩行移動補助を可能とする機能がない点である。
【課題を解決するための手段】
【０００５】
本発明は、杖先の接地部に回動自在の車輪を取り付け、この接地車輪に一方向にだけ若干の回転抵抗力を有して回転を可能とするが、逆方向回転を防止する回転方向制御機能装置を付加する。
その一手段として、杖先の接地車輪内部に、この接地車輪を回転自在とするシャフトを中心軸として固定装着される爪部保持部に構成するシリンダー部を介して出入自在として設けられる爪部と、この爪部と噛み合う鋸歯状の爪歯部を内周に構成し杖先に取り付けられる接地車輪内に一体構成される爪歯部付きのリングギヤと、からなるラチエット機能を構成したことを最も主要な特徴とする。
これにより杖先接地車輪の回転に、噛み合う爪部と爪歯部とで若干の回転抵抗力を構成する間歇的な一方向回転運動を伝達することができるという目的を実現した。
【発明の効果】
【０００６】
本発明の回転制御機能車輪付の歩行移動補助杖は、杖先に設ける接地車輪に一方向にだけ若干の回転抵抗力を有して回転を可能とするが、逆方向の回転は防止するという回転方向制御機能装置を付加したことは、杖先ゴム接地部を用いる従来仕様の利用感覚と異なり、歩行弱者における利用諸条件で杖先の接地車輪においての先送り又は追従などの感覚的操作を容易に可能とし、かつ、その歩行移動補助を安全確実なものとしている。
【０００７】
請求項２の回転方向制御機能装置に杖先の接地車輪に設定される爪部と噛み合う爪歯部を構成するリングギヤとでラチエット機構を構成し、所望とする作動時抵抗力が構成できる間歇的な一方向回転運動を伝達し逆方向の回転は防止可能とすることで、歩行弱者が所望とする安全にして容易に確実な操作性を得ることが出来るという機能性に大いに優れている。
【０００８】
請求項３の回転方向制御機能装置に杖先の接地車輪内に設定されるインナ・レースとアウタ・レースとの間に設けるワンウエイ・クラッチ構造で所望とする作動時抵抗力を可能とする機構を構成したことは、歩行弱者が所望とする該作動をスムーズ、かつ、安全にして容易に確実な操作性を得ることが出来るという機能性に大いに優れている。
【発明を実施するための最良の形態】
【０００９】
杖先の回転自在構造の接地車輪内部に、シャフトに固定される爪部保持部に出入自在に装置される爪部と噛み合う爪歯部を内周に構成するリングギヤを接地車輪に一体構成し、該車輪に若干の回転抵抗力を有する間歇的な一方向回転運動を伝達し逆方向の回転は防止するという手段を提供する目的を最少の部材もって実現した。
【実施例１】
【００１０】
杖先に取り付けられる接地車輪に設ける回転方向制御機能装置にラチエット機構を採用した本発明の一実施例で、図１は回転自在の車輪内に構成される車輪と一体のリングギヤ６に構成される爪歯部６’と噛み合う爪部２’を出入自在で設けるシャフト１に固定される爪部保持部２などからなるラチエット機構を示す説明図で、図２は図１の縦断面を示す説明図、図３は回転方向制御機能が装置された車輪を杖先に複輪仕様とした本発明の一実施例の説明図である。
【００１１】
なお、本発明の主体は、杖先に取り付けられる接地車輪に装置される回転方向制御機能装置系の実装方法にあるので、該車輪を杖先に取り付ける杖の形状構成などの説明は省略する。
以下図面に基づいて詳細に説明する。
【００１２】
杖９が取り付けられるシャフト１を中心軸に回転自在構造の杖先接地車輪内でシャフト１を中心軸にして固定装着される爪部保持部２は若干厚手の円板状板材からなり、一本のシリンダー部４を設ける部所を構成しこのシリンダー部４内から若干高さを出入自在とする爪部２’を保持している。
【００１３】
この爪部保持部２を中間にして挟み、回転自在の左右ハブ７を回転軸部にして一体構成しもう一方に接地用のゴムタイヤ部８を取り付けるホイール７’の内部に、爪部保持部２に出入自在で備えられる爪部２’と噛み合う鋸歯状の爪歯部６’を内周に形成する爪歯部６’付きのリングギヤ６を一体構成し取り付ける。
【００１４】
爪部２’は、鍔部３付きロッド部３’を有し、鍔部３下部とシリンダー部４の底部との間に設けるコイル・スプリング５を介してシリンダー部４内を逸脱することなく上下動自在とし、爪歯部６’と噛み合う若干長さの爪部部分のみを該シリンダー部４より出入自在とされている。
【００１５】
このようになっていると、コイル・スプリング５の構成するばね力を介して押し上げられている爪部２’はリングギヤ６に構成される爪歯部６’に常時噛み合っているが、ゴムタイヤ部８を介して回転するホイール７’の右方向への回転に伴うリングギヤ６の爪歯部６’の回動で、この鋸歯状の爪歯部６’が一方側に形成する傾斜面と組み合う傾斜面を有する爪部２’は滑るようにして押し下げられることで爪歯部６’との噛み合いが解かれるが、該傾斜面から外れることで上昇し再び爪歯部６’と噛み合うことで、ゴムタイヤ部８付きのホイール７’の左方向への逆回転を防止し間歇的な一方向回転運動を伝達するラチエット機能を確実としている。
この際、一方向回転運動においても爪部２’と爪歯部６’とに作用するコイル・スプリング５のばね力で若干の所定の抵抗が構成されるので、該一方向の回転運動に所定若干抵抗力を有することができるものである。
【００１６】
爪部２’と噛み合う爪歯部６’の歯数を可能な限り多くすることで、ホイール７’の回転諸条件において小刻みのラチエット効果が期待できるものである。
なお、杖先の接地車輪を例えば中心軸のシャフト１に固定取付される杖９を中心として左右に該回転方向制御機能装置を備える車輪を配置する複数形態のものとすることで、ゴムタイヤ部８の有する特性とともに更に安定した歩行移動補助効果も期待できるものである
【産業上の利用可能性】
【００１７】
杖先に接地車輪を用いる歩行移動補助具における期待できる有効な手法の一つとし、リハビリ医療のみならず社会生活及び自立支援など多方面の用途に応用利用が期待できるものである。
【図面の簡単な説明】
【００１８】
【図１】杖先の接地車輪に設ける回転方向制御機能装置にラチエット機構を採用した本発明歩行移動補助杖の一実施例で、接地車輪内に装置する爪歯部６’と噛み合う爪部２’付き爪部保持部２などにおける主要部の組み合わせ構成を示す説明図である。（実施例１）
【図２】図１の縦断面図である。（実施例１）
【図３】杖９を中心とし左右に回転方向制御機能装置を備える車輪を配置した仕様例を示す説明図である。（実施例１）
【符号の説明】
【００１９】
１    シャフト
２    爪部保持部
２’  爪部
３    鍔部
３’  ロッド部
４    シリンダー部
５    コイル・スプリング
６    リングギヤ
６’  爪歯部
７    ハブ
７’  ホイール
８    ゴムタイヤ部
９    杖
【手続補正３】
【補正対象書類名】特許請求の範囲
【補正対象項目名】全文
【補正方法】変更
【補正の内容】
【特許請求の範囲】
【請求項１】
杖先の接地車輪に、一方向にだけ若干の回転抵抗力を有して回転を可能とするが、逆方向の回転を防止する回転方向制御機能装置を付加したことを特徴とする回転制御機能車輪付の歩行移動補助杖。
【請求項２】
請求項１の回転方向制御機能装置が、杖先の接地車輪を回転自在構造とするシャフトに固定装着される爪部保持部に可動自在で設けられる爪部と、この爪部と噛み合う爪歯部を形成して回転自在構造の杖先接地車輪内に一体構成される爪歯部付きのリングギヤと、からなる所望の作動時抵抗力が構成できるラチエット機構を構成したことを特徴とする請求項１記載の回転制御機能車輪付の歩行移動補助杖。
【請求項３】
請求項１の回転方向制御機能装置が、杖先の接地車輪を回転自在構造とするシャフトを介して該接地車輪内に設定されるインナ・レースとアウタ・レースとの間に設けるワンウエイ・クラッチ構造で所望の作動時抵抗力を可能とする機構を構成してなることを特徴とする請求項１記載の回転制御機能車輪付の歩行移動補助杖。
【手続補正４】
【補正対象書類名】図面
【補正対象項目名】図３
【補正方法】追加
【補正の内容】
【図３】
2011147574.tif 000005